(57)【要約】【課題】遊技機の背面側に背面体が設置される場合に、その背面体を大きく前方に開放することができて遊技機の背面側へのアクセス性を向上させることができ、背面体の前方開放時にもその前方の第２枠体との干渉（衝突）の虞、及びその干渉に起因する各構成部品等の破損の虞を低減することのできる枠構造及び遊技機を提供すること。【解決手段】この枠構造５１は、パチンコ機５２の周囲を囲む筐体枠５３と、筐体枠５３の一側縁における軸Ｊ１において前面開閉可能に揺動支持された機枠と、筐体枠５３の後方に配置されてパチンコ機５２の背面を実質的に閉鎖すると共に、軸Ｊ１よりも後方であって、かつ、軸Ｊ１よりもパチンコ機５２の内側の位置を軸Ｊ２として、筐体枠５３に前面開閉可能に揺動支持される背面板５５と、筐体枠５３と開放状態における背面板５５との為す角が所定角度θより大きくなるのを不可能又は困難とする角度規制構造５６と、を有する。【選択図】図６
2010082250.tif 000002
【特許請求の範囲】
【請求項１】
遊技機の周囲を囲む第１枠体と、
該第１枠体の一側縁における側縁揺動支持位置において前面開閉可能に揺動支持された第２枠体と、
前記第１枠体の後方に配置されて前記遊技機の背面を実質的に閉鎖すると共に、前記側縁揺動支持位置よりも後方であって、かつ、該側縁揺動支持位置よりも前記遊技機の内側の位置を内側揺動支持位置として、前記第１枠体に前面開閉可能に揺動支持される背面体と、
前記第１枠体と開放状態における前記背面体との為す角が第１所定角度より大きくなるのを不可能又は困難とする角度規制構造と、を有する枠構造。
【請求項２】
遊技機の周囲を囲む第１枠体と、
該第１枠体の一側縁における側縁揺動支持位置において前面開閉可能に揺動支持された第２枠体と、
前記第１枠体の後方に配置されて前記遊技機の背面を実質的に閉鎖すると共に、前記側縁揺動支持位置よりも後方であって、かつ、該側縁揺動支持位置よりも前記遊技機の内側の位置を内側揺動支持位置として、前記第１枠体に前面開閉可能に揺動支持される背面体と、
開放状態における前記第２枠体と開放状態における前記背面体との為す角が第２所定角度より小さくなるのを不可能又は困難とする角度規制構造と、を有する枠構造。
【請求項３】
前記内側揺動支持位置が、前記背面体の前面側かつ側縁近傍に配置されている請求項１又は請求項２に記載の枠構造。
【請求項４】
前記角度規制構造が、係合部材と、該係合部材を付勢して突出させる付勢部材と、突出した該係合部材を嵌入させる凹部とを有して構成される請求項１から請求項３のうちいずれか１項に記載の枠構造。
【請求項５】
遊技に関連する映像を表示させる映像表示装置が、前記背面体の前面に配置されている請求項１から請求項４のうちいずれか１項に記載の枠構造。
【請求項６】
遊技機の周囲を囲む第１枠体と、
該第１枠体の一側縁における側縁揺動支持位置において前面開閉可能に揺動支持された第２枠体と、
前記第１枠体の後方に配置されて前記遊技機の背面を実質的に閉鎖すると共に、前記側縁揺動支持位置よりも後方であって、かつ、該側縁揺動支持位置よりも前記遊技機の内側の位置を内側揺動支持位置として、前記第１枠体に前面開閉可能に揺動支持される背面体と、
該背面体の前面に配置されて、遊技に関連する映像を表示させる映像表示装置と、を有する枠構造であって、
該映像表示装置の表示面に、取り外し可能な透明保護部材が１又は複数取り付けられている枠構造。
【請求項７】
前記透明保護部材が、帯電防止機能を有している請求項６に記載の枠構造。
【請求項８】
請求項１から請求項７のうちいずれか１項に記載の枠構造と、
遊技媒体による遊技を実現する遊技装置体と、
該遊技装置体に対して一定距離以上離間して配置された前面透明板と、を有する遊技機。
【発明の詳細な説明】
【技術分野】
【０００１】
本発明は、枠構造及び遊技機に係り、特に、遊技機の周囲を囲む筐体枠の背面を実質的に閉鎖する背面体と、筐体枠に対して前面開閉可能に揺動支持された機枠とを有する枠構造及び遊技機に関する。
【背景技術】
【０００２】
パチンコ機等の遊技機では、弾出された遊技媒体（以下、球という。）が遊技盤面上を流下して、その流下の過程で球が遊技盤面上のゲージ（釘ともいう。）や羽根車に衝突しつつ転回して流下方向が変化する。その結果、遊技盤面上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむことができる。
【０００３】
従来、このようなパチンコ機は筐体枠によって周囲が囲まれ、その筐体枠内部に収容されるように遊技盤が配置されている。そしてその遊技盤は、筐体枠に対して前面開閉可能に揺動支持された機枠に保持されており、その機枠や遊技盤の裏側に様々な球経路や各種機構部品、回路基板等が取り付けられている。
【０００４】
つまり、遊技を構成し演出する重要な部品である球経路、景品球払出装置や入賞球処理装置等の各種機構部品、それら各種機構部品の動作を制御するための払出制御基板、図柄表示装置等の演出動作を制御するための遊技制御基板や図柄制御基板等が、前方を遊技盤や機枠によって、上下方及び左右側方を筐体枠によって覆われるように構成されている。
【０００５】
しかしながら、パチンコ機の後方、すなわち背面側は覆われておらず、上記の重要部品が略剥き出しの状態となっている。したがって、パチンコ機の背面側は不正アクセスに対して無防備であり、ここから重要部品に対して不正が行われる虞があった。
【０００６】
そこで近年、背面側を背面体（以下、背面板という。）によって覆うことにより、背面側からの重要部品に対する不正アクセスを防止可能なパチンコ機も提案されている。これによれば、パチンコ機の背面が実質的に閉鎖されるので、例えば、隣接するパチンコ機どうしの隙間から背面側にピアノ線を挿入して行う不正遊技等も防止することができる（例えば、特許文献１参照。）。
【０００７】
【特許文献１】特開２００４−１０５５７２号公報
【発明の開示】
【発明が解決しようとする課題】
【０００８】
ところで、遊技機が備えられる一般的な遊技機島の内部には、球の供給施設や紙幣の搬送設備などが配置されており、これらのメンテナンスを行うために筐体枠を介して遊技機裏側へとアクセスする必要がある。
【０００９】
しかしながら、遊技機の背面側を背面板で覆った場合には、背面板の存在によって遊技機の背面にアクセスすることが困難となり、島内部のメンテナンス作業が煩雑になるという問題があった。
【００１０】
一方、メンテナンス作業の容易のために、背面体を前面開閉可能とする構成も提案されている。しかしながら、背面体を前面開放可能に構成すると、背面体の前方開放時にその前方に位置する機枠と衝突してしまい、背面体や機枠、又はそれらに取り付けられた構造部品が破損してしまう虞があるという問題があった。
【００１１】
特に、背面体の前面に遊技に関連する映像を表示するための液晶表示装置等が取り付けられているような場合において、背面体の前方開放により液晶表示面が機枠等と衝突してしまうと、液晶表示装置を構成する表示面にキズが入ってしまったり汚れが付着してしまったりする場合がある。液晶表示装置の表示面は、ガラスにより構成されることが多く、場合によってはその表示面が割れてしまうことも考えられる。
【００１２】
本発明は上記の事情に鑑みて為されたもので、遊技機の背面側に背面体が設置される場合であっても、その背面体を大きく前方に開放することができて遊技機の背面側へのアクセス性を向上させることができると共に、背面体の前方開放時にもその前方に配置される第２枠体との干渉（衝突）の虞、及びその干渉に起因する各構成部品等の破損の虞を低減することのできる枠構造及び遊技機を提供することを例示的課題とする。
【課題を解決するための手段】
【００１３】
上記の課題を解決するために、本発明の例示的側面としての枠構造は、遊技機の周囲を囲む第１枠体と、第１枠体の一側縁における側縁揺動支持位置において前面開閉可能に揺動支持された第２枠体と、第１枠体の後方に配置されて遊技機の背面を実質的に閉鎖すると共に、側縁揺動支持位置よりも後方であって、かつ、側縁揺動支持位置よりも遊技機の内側の位置を内側揺動支持位置として、第１枠体に前面開閉可能に揺動支持される背面体と、第１枠体と開放状態における背面体との為す角が第１所定角度より大きくなるのを不可能又は困難とする角度規制構造と、を有することを特徴とする。
【００１４】
本発明に係る枠構造では、背面体が第１枠体（例えば、筐体枠。）に対して前面開閉可能に揺動支持されるので、背面体を前面方向に開放させることによって、遊技機の背面体よりも更に後方側へのアクセスを容易に行うことができる。このため、遊技機の最背面に配置される背面体により遊技機の背面側からの不正アクセスの抑制と、球の供給施設や紙幣の搬送設備等のメンテナンス性の向上との両立を実現することができる。
【００１５】
背面体の揺動支持位置（内側揺動支持位置）が第２枠体（例えば、機枠。）の揺動支持位置（側縁揺動支持位置）よりも後方に配置されているため、背面体の左右方向（すなわち、遊技機の幅方向。）の寸法を大きくすることができ、結果として背面体の面積を拡大することができて設計上の自由度やスペース効率が増大する。
【００１６】
第２枠体の側縁揺動支持位置が、第２枠体より前方か又は前後方向における第１枠体内に位置する場合において、背面体の内側揺動支持位置が第２枠体の側縁揺動支持位置と一致又はそれより前方にあると、背面体の前方開放の際にその回転軌跡が外方へと大きく膨らみ、第１枠体の内壁と干渉してしまう虞がある。
【００１７】
しかしながら、本発明においては背面体の内側揺動支持位置が第２枠体の側縁揺動支持位置よりも後方に配置されているため、換言すれば、背面体の内側揺動支持位置が実質的に第１枠体よりも後方に配置されているため、背面体の回転軌跡が外方へと大きく膨らまない。したがって、背面体の左右方向寸法を第１枠体の内壁寸法いっぱいまで大きくしても、その開閉時に第１枠体内壁に干渉する虞が殆どない。結果として、背面体の左右方向寸法を大きくしてその面積を拡大しても、開閉動作を円滑に行うことができる。
【００１８】
更に、背面体の内側揺動支持位置を、第２枠体の側縁揺動支持位置よりも遊技機内側の位置に配設することによって、第２枠体及び背面体の開放時に、背面体を大きく開放することができ、その後方へのアクセス性を一層向上させることができる。
【００１９】
背面体を開放する際には、事前に第２枠体を開放しておく必要がある。その第２枠体の開放時において、背面体の内側揺動支持位置が第２枠体の側縁揺動支持位置よりも外側に配置されている場合には、背面体の開放角度を大きく取ることができない。しかし、本発明によれば、背面体の内側揺動支持位置が第２枠体の側縁揺動支持位置よりも内側に配置されているので、外側に配置されている場合に比較して、第２枠体の開放角度が同じ場合に背面体の開放角度を大きく取ることができる。
【００２０】
結果として、開放時における第２枠体の背面側と背面体の前面側との干渉の可能性を低減することができる。それにより、背面体の開放角度を大きく取ることができてその後方へのアクセス性を向上させたり、第２枠体の後面側（背面側、又は裏面側ともいう。）、背面体の前面側への部品配置やその大きさの自由度を増大させることができる。
【００２１】
特に、第２枠体の背面側や背面体の前面側には、景品球払出装置や入賞球処理装置等の各種機構部品、それら各種機構部品の動作を制御するための主基板（遊技制御基板）、図柄制御基板、電源基板等が設けられることが多い。このため、第２枠体と背面体との開放時の干渉によるこれらの機構部品や制御基板等の破損の可能性を低減することができる。
【００２２】
更に、背面体の揺動支持位置を、第２枠体の揺動支持位置よりも遊技機内側の位置に配設することによって、背面体の可動範囲を第２枠体の可動範囲よりもコンパクトにすることができる。このため、第２枠体が開放した状態における背面体の回動動作を容易にすることができ、島内部のメンテナンス時における背面体の取扱い負担を軽減することが可能となる。
【００２３】
また、角度規制構造が、第１枠体と背面体との為す角が第１所定角度より大きくなるのを不可能又は困難としている。したがって、背面体が不用意かつ必要以上に前方開放してしまうのを防止することができる。その結果、背面体とその前方に位置する第２枠体との不用意な干渉を防止することができる。背面体の前面側と第２枠体の後面側との干渉（衝突）を回避することができるので、背面体、第２枠体又はそれらに取り付けられている構造部品の破損や汚れを防止することができる。
【００２４】
なお、本願発明において、背面体と第２枠体との干渉と背面体と第２枠体との衝突とは略同義で使用している。また、背面体と第２枠体との干渉は、背面体又はそれに取り付けられた構造部品と第２枠体又はそれに取り付けられた構造部品との干渉を含む。
【００２５】
ここで、遊技媒体とは、例えばパチンコ機等の遊技機に用いられる球を意味し、遊技装置体とは、その球が流下するための遊技盤等が該当する。
【００２６】
また、「前面」とは遊技装置体がパチンコ機等の遊技機に設置された際に、遊技盤面から遊技者に向かう方向、すなわち遊技盤裏面から表面に向かう方向であり、「背面」とはその反対に遊技盤表面から裏面に向かう方向を意味している。更に、「内側」とは第１枠体の中央方向を示している。
【００２７】
本発明の他の例示的側面としての枠構造は、遊技機の周囲を囲む第１枠体と、第１枠体の一側縁における側縁揺動支持位置において前面開閉可能に揺動支持された第２枠体と、第１枠体の後方に配置されて遊技機の背面を実質的に閉鎖すると共に、側縁揺動支持位置よりも後方であって、かつ、側縁揺動支持位置よりも遊技機の内側の位置を内側揺動支持位置として、第１枠体に前面開閉可能に揺動支持される背面体と、開放状態における第２枠体と開放状態における背面体とのなす角が第２所定角度より小さくなるのを不可能又は困難とする角度規制構造と、を有することを特徴とする。
【００２８】
本発明によれば、上記同様に、遊技機背面からの不正アクセス防止及び背面側でのメンテナンス性の向上を両立させることができる。更に、角度規制構造が、第２枠体と背面体との為す角が第２所定角度より小さくなるのを不可能又は困難としているので、背面体と第２枠体との開閉角度を一定角度（第２所定角度）より大きい角度に維持することができる。換言すれば、背面体が第２枠体に対して一定以上近接するのを防止又は困難とすることができるので、背面体と第２枠体との干渉を、より直接的に両者の位置関係に基づき防止することができる。その結果、背面体、第２枠体又はそれらに取り付けられている構造部品の破損や汚れを防止することができる。
【００２９】
その枠構造において、内側揺動支持位置が、背面体の前面側かつ側縁近傍に配置されていてもよい。
【００３０】
背面体の揺動支持位置が前面側に配置されているので、背面体を略９０°に前方開放しても背面体の一部が揺動支持位置より遊技機外側へ突出することがない。したがって、第１枠体のすぐ外側に遊技機島用の柱部材等が設置されている場合でも、それに干渉することなく背面体を大きく開放することができる。
【００３１】
また、背面体の揺動支持位置がその側縁近傍に配置されているので、背面体の前方開放時に実質的に背面体全体が前方へと回転移動し、その一部が後方へと回転移動することがない。したがって、背面体の後方に遊技機島の設置用柱部材等があっても、背面体の開閉動作による干渉を生じることがない。
【００３２】
その枠構造において、角度規制構造が、係合部材と、係合部材を付勢して突出させる付勢部材と、突出した係合部材を嵌入させる凹部とを有して構成されていてもよい。
【００３３】
角度規制構造を、係合部材、付勢部材及び凹部を用いて構成するので、簡単な構造により背面体の開放角度を確実に規制する角度規制構造を実現することができる。この係合部材及び凹部の形状を適宜設定することにより、背面体の回転移動を不可能としたり困難としたりすることができる。
【００３４】
すなわち、背面体の回転によりいったん係合部材が凹部に嵌入すると係合部材が凹部から脱出できず、背面体がそれ以上回転できない、いわゆるラッチ構造とすることもできる。また、係合部材をボール形状又は当接斜面を有する三角柱形状等に形成することにより、係合部材が凹部に嵌入した後にも一定以上の力を背面体の回転方向に加えると、係合部材が凹部から脱出して背面体を回転させることができる、いわゆるキャッチ構造（ボールキャッチ構造等）とすることもできる。
【００３５】
角度規制構造をキャッチ構造とすれば、予め設定した所望角度での背面体の位置規制と適度なクリック感とを得ることができ、かつ一定以上の力を加えることによってそれ以上に背面体を移動させることのできる構造としての柔軟性を実現することができる。
【００３６】
遊技に関連する映像を表示させる映像表示装置が、背面体の前面に配置されていてもよい。
【００３７】
映像表示装置が背面体の前面に配置されているので、映像表示装置の表示面へのキズ付き、汚れ付着、破損等を確実に防止する必要がある。本願発明により背面体と第２枠体との干渉が防止されるので、映像表示装置の表示面へのキズ付き等のダメージを確実に防止することができる。
【００３８】
本発明の更に他の例示的側面としての枠構造は、遊技機の周囲を囲む第１枠体と、第１枠体の一側縁における側縁揺動支持位置において前面開閉可能に揺動支持された第２枠体と、第１枠体の後方に配置されて遊技機の背面を実質的に閉鎖すると共に、側縁揺動支持位置よりも後方であって、かつ、側縁揺動支持位置よりも遊技機の内側の位置を内側揺動支持位置として、第１枠体に前面開閉可能に揺動支持される背面体と、背面体の前面に配置されて、遊技に関連する映像を表示させる映像表示装置と、を有する枠構造であって、映像表示装置の表示面に、取り外し可能な透明保護部材が１又は複数取り付けられていることを特徴とする。
【００３９】
映像表示装置の表示面に、取り外し可能な透明保護部材が取り付けられているので、たとえ、背面体が第２枠体に必要以上に近接したとしても、第２枠体と表示面とが直接接触することはなく、第２枠体と透明保護部材とが接触する。したがって、その接触に起因して透明保護部材にキズや汚れが発生してしまっても、透明保護部材を取り外すことにより簡単にそのキズや汚れを除去することができる。したがって、映像表示装置の表示面を常にダメージのないきれいな状態に維持することが可能となる。
【００４０】
なお、透明保護部材を複数枚積層して取り付けていれば、最表面側から繰り返し取り外していくことにより、何度もダメージを除去することができる。透明保護部材は、透明な樹脂プレート部材であってもよいし、剥離可能な透明樹脂フィルムであってもよい。したがって、表示面に透明保護部材が取り付けられているとは、表示面上に透明樹脂フィルムが貼付されている場合を含み、透明保護部材の取外しとは、透明樹脂フィルムが表示面から剥離される場合を含む。もちろんプレート部材としての透明保護部材が、表示面の前方にネジ等によって取付け、取外しされる場合も含む。
【００４１】
その透明保護部材が、帯電防止機能を有していてもよい。
【００４２】
透明保護部材が帯電防止機能を有しているので、静電気による透明保護部材へのホコリの付着を防止することができる。したがって、映像表示装置の表示面を常にきれいで見易い状態に維持することができる。なお、帯電防止機能の実現手段としては、公知の導電性材料を利用した方法を適用することができる。例えば、透明保護部材内に、透明性への影響が少ない程度に導電性材料を混入させたり、導電性材料を表面に塗布したりすることにより、帯電防止機能が発揮される
本発明の更に他の例示的側面としての遊技機は、上記の枠構造と、遊技媒体による遊技を実現する遊技装置体と、遊技装置体に対して一定距離以上離間して配置された前面透明板と、を有することを特徴とする。
【００４３】
上述したような枠構造を遊技機が備えることによって、第１枠体を島に設置したままの状態で背面体を前面方向に開放することができる。このため、遊技機が設置される島内部に対するメンテナンスを、遊技機が島に設置された状態で前面側より直接行うことができ、従来よりもメンテナンス性を向上することが可能となる。また、背面体が遊技機の背面側に設置されているため、遊技機の背面側からの不正アクセスを効果的に抑制することができ、ユーザによる不正遊技等を防止することができる。このように、本発明に係る枠構造を遊技機に設けることによって、不正遊技を効果的に阻止することができ、更に、パチンコホールにおけるメンテナンス性に優れた遊技機を提供することが可能となる。
【００４４】
更に、背面体と第２枠体との干渉が防止されたり、映像表示装置の表示面へのダメージが防止されるので、耐久性や信頼性の高い遊技機とすることができる。したがって、修理や清掃等のメンテナンスの頻度を低減することができ、遊技者に、長期間に亘って、きれいな状態で、快適な遊技を提供することができる。
【００４５】
本発明の更なる目的又はその他の特徴は、以下添付図面を参照して説明される好ましい実施の形態によって明らかにされるであろう。
【発明の効果】
【００４６】
本発明によれば、第１枠体に背面体を設けることによって遊技機に対する不正遊技等を防止することができる。更に、第１枠体に対して背面体を前方に大きく開放させることができるので、遊技機の前面側から背面体の後方へのアクセスを容易とすることができ、遊技機が設置される島内部のメンテナンス性を向上させることが可能となる。
【００４７】
また、背面体と第２枠体との干渉が防止されることにより、背面体や第２枠体へのダメージを防止することができる。背面体の前面側に配置された映像表示装置の表示面へのダメージが防止又は除去されることにより、安定的にきれいな映像表示を遊技者に提供することができる。結果的に、遊技機を耐久性、信頼性の高いものとし、遊技者への安心かつ快適な遊技の提供に寄与することができる。
【発明を実施するための最良の形態】
【００４８】
［実施の形態１］
以下、本発明の実施の形態１について図面を用いて説明する。図１は、本発明の実施の形態１に係る枠構造を備えた枠構造体１を有する遊技機としてのパチンコ機２の外観を示す外観斜視図である。パチンコ機２は、筐体枠（第１枠体）３、機枠（第２枠体）４、背面板（背面体）５、遊技盤ユニット（遊技装置体）６、前面ガラス（前面透明板）７、装飾枠８、球発射ユニット（発射ユニット、図示せず。）、上皿９を有して概略構成されている。枠構造体１は、筐体枠３と機枠４と背面板５とによって構成される。
【００４９】
パチンコ機２は、組合せ式パチンコ機、封入循環式パチンコ機等を含む。また、遊技機としてはパチンコ機の他に、遊技媒体としてコインを使用するパチンコ式スロットマシン機やスロットマシン、各種ゲーム機やアーケードマシン等が概念できる。
【００５０】
筐体枠３は、このパチンコ機２の周囲を囲むための枠体であり、平面視略長方形に構成されて
いる。材料としては、木材が用いられることが多いが、他に樹脂やアルミ等の金属が用いられることもある。筐体枠３は、パチンコ機２の上下面及び左右側面を囲い、前面（すなわち、遊技者側。）から見て左側面側には機枠４及び装飾枠８を揺動支持するためのヒンジ部１１が設けられている。また、筐体枠の背面側（すなわち、パチンコ機２の裏面側、遊技機島側。）であって、前面（正面）から見て左側面側には背面板５を揺動支持するためのヒンジ部１２（図２、図４参照）が形成されている。
【００５１】
機枠４は、遊技盤ユニット６を保持するための枠体であり、その中央近傍に遊技盤ユニット６を取り付けるための取付け開口が形成されている。取付け開口の周囲に遊技盤ユニット６を着脱可能に取り付けるための取付け部を有し、機枠４は遊技盤ユニット６の周囲を囲むように構成されている。その機枠４は、筐体枠３の前面側に配置されてヒンジ部１１において筐体枠３に軸支され、図２に示すように、筐体枠３に対して前面開閉可能に揺動支持されている。機枠４は、樹脂又は金属によって形成され、その裏面側には裏機構盤（図示せず。）が配置される。その裏機構盤には、入賞球を計数して排出処理する入賞球処理装置（図示せず。）、景品球を計数して払い出す景品球払出し装置（図示せず。）等が配置されている。
【００５２】
背面板５は、筐体枠３の後方を略密閉し、パチンコ機２の背面を実質的に閉鎖する板状部材である。背面板５の設置により、パチンコ機２の背面側から行われ得る不正アクセスを効果的に防止することができるようになっている。
【００５３】
背面板５は、前面側が開放された箱体形状を呈しており、前面側内部には、画像制御基板１５、パチンコ機２全体の制御を行うための主基板（遊技制御基板）１６、電源基板１７等が収納されている。背面板５は、正面から見て左側前端部において、ヒンジ部１２によって筐体枠３に揺動支持されている。このヒンジ部１２を揺動軸として背面板５を回転移動させることによって、図３に示すように、背面板５を筐体枠３の開放開口３ａを案内して前面側へと回転させることが可能となっている。
【００５４】
図４は、筐体枠３に対して機枠４と筐体枠３とが揺動支持されたパチンコ機２の平面拡大図である。機枠４は、筐体枠３の前面側に設けられるヒンジ部１１の軸Ｇ１を揺動支持位置（側縁揺動支持位置）として、図２に示すように、前面開閉可能な構造となっている。ヒンジ部１１の軸Ｇ１は、図４に示すように、筐体枠３の左端部であって、筐体枠３の少し前方位置に配設され、機枠４の一側縁近傍に位置している。
【００５５】
一方で、背面板５は、筐体枠３の背面側に設けられるヒンジ部１２の軸Ｇ２を揺動支持位置（内側揺動支持位置）として、図３に示すように、前面開閉可能な構造となっている。ヒンジ部１２の軸Ｇ２は、図４に示すように、断面Γ状に形成されるヒンジ支持部１２ａの端部に形成されており、ヒンジ部１１の配設位置よりも筐体枠３の背面側であって、さらに、距離Ｌ１だけ筐体枠３の内側寄り（正面視で右側寄り、筐体枠の中央方向寄り。）の位置に配設されている。そして、この軸Ｇ２の配設位置は、背面板５の側縁近傍に相当している。
【００５６】
一般的なパチンコ機では、機枠のヒンジ部の軸が、筐体枠より前方か又は前後方向において筐体枠内に位置している。したがって、背面板５の軸Ｇ２が機枠４の軸Ｇ１の位置と一致又はそれより前方にあると、背面板５の前方開放の際にその回転軌跡が外方（すなわち、筐体枠３の幅方向外側であって正面視右側に向かう方向。）に膨らんでしまい、筐体枠３の内壁と干渉する虞がある。
【００５７】
しかしながら、本実施の形態１に示す枠構造体１では、背面板５の軸Ｇ２の位置が機枠４の軸Ｇ１の位置よりも後方に配置されているため、換言すれば、背面板５の揺動支持位置が実質的に筐体枠３よりも後方に配置されているため、背面板５の反対側縁５ａの回転軌跡が背面板５の開放動作に伴って外方に大きく膨らむことがなく、結果として背面板５の左右寸法を大きくとってもその反対側縁５ａと筐体枠３の他側縁内壁３ｂとの干渉を容易に防止することができる（図５参照）。したがって、背面板５の左右方向寸法を大きくとって配置スペースの自由度を増大しつつ、背面板５の円滑な開閉を実現することができる。
【００５８】
さらに、背面板５の軸Ｇ２を、機枠４の軸Ｇ１よりもパチンコ機２の内側位置に配設することによって、機枠４及び背面板５の開放時に、背面板５を大きく開放することができ、その後方へのアクセス性を一層向上させることができる。
【００５９】
背面板５を開放する際には、事前に機枠４を開放しておく必要がある。その機枠４の開放時において、背面板５の軸Ｇ２の位置が機枠４の軸Ｇ１の位置よりも外側に配置されている場合には背面板５の開放角度を大きく取ることができない。しかし、本実施の形態１に示す枠構造体１によれば、背面板５の軸Ｇ２の位置が機枠４の軸Ｇ１の位置よりも内側に配置されているので、外側に配置されている場合に比較して、機枠４の開放角度が同じ場合に背面板５の開放角度を大きく取ることができる。
【００６０】
図５は、筐体枠３に対して機枠４を前面側に全開させ、更に背面板５を前方に略９０度回転移動させた状態を示している。機枠４の軸Ｇ１に比べて背面板５の軸Ｇ２は距離Ｌ１だけ筐体枠３の内側に配設されており、この配設位置の違いによって背面板５の開放角度を従来よりも大きく取ることができる。
【００６１】
また、結果として、開放時における機枠４の背面側と背面板５の前面側との干渉の可能性を低減することができる。特に、機枠４の背面側には裏機構盤（図示せず。）等が配置され、背面板５の前面側には、主基板１６や電源基板１７等が設けられるため、これらの設置機器が接触して破損・故障等が生じることを防止でき、さらに、部品配置やその大きさの自由度を増大させることが可能となる。
【００６２】
さらに、背面板５は、背面板５を正面から見て左側前端部（背面体の前面側かつ側縁近傍。）において、ヒンジ部１２によって筐体枠３に揺動支持されているため、背面板５の左方には、図４に示すように、筐体枠３の左端部から距離Ｌ２の空間が確保されている。
【００６３】
パチンコ機２がパチンコホールに設置される場合、パチンコ機２が設置される遊技機島の設置用の柱部材が、隣接するパチンコ機２同士の間の位置１８に存在する場合がある（図４中の破線参照。）。しかしながら、本実施の形態１に示す枠構造体１では、筐体枠３の左方に距離Ｌ２の空間が確保されるので、この位置１８に柱部材があってもこのパチンコ機２を問題なく設置することができる。
【００６４】
また、柱部材が位置１８ａ（図４中の２点鎖線参照。）に存在する場合もあるが、この実施の形態１においては、ヒンジ支持部１２ａが断面Γ状となっていて位置１８ａを回避している上に、背面板５のヒンジ部１２の軸Ｇ２が、背面板５の前面側に配置されているので、背面板を大きく略９０°に開放しても背面板５の一部がヒンジ支持部１２ａに干渉することがない。つまり、柱部材を位置１８に設置しても位置１８ａに設置しても、背面板５を充分に大きく前方開放することができるようになっている。
【００６５】
また、背面板５の軸Ｇ２の位置がその側縁近傍に配置されているので、背面板５の前方開放時に実質的に背面板５全体が前方へと回転移動し、その一部が後方へと回転移動することがない。したがって、背面板５の後方に遊技機島用の柱部材等が位置１８，１８ａにあっても、背面板５の開閉動作による干渉を生じることがない。
【００６６】
遊技盤ユニット６は、遊技盤２０、レール飾り２１、図柄表示装置２２を有してユニット構成されている。遊技盤２０の前面には、遊技媒体としての球２４の流下によって遊技を実現する遊技盤面２０ａが形成されている。遊技盤面２０ａには、略円形状に周囲を囲むようにレール飾り２１が取り付けられており、このレール飾り２１の内側面２１ａが遊技盤面２０ａに対して立設することにより遊技領域６ｂが画定されている。
【００６７】
遊技盤２０の遊技領域６ｂには、多数のゲージ（釘）２５、羽根車２６、入賞口２８、始動入賞口２９、大入賞口３０、アウト口３１、図柄表示装置２２等が配置されている。ここで、ゲージ２５とは、球２４の流下方向を変化させたり球２４を誘導するために、遊技領域６ｂ内に植設される釘のことをいう。また、連続的又は集合的に配置される一連の釘の配列をゲージという場合もある。
【００６８】
ゲージ２５や羽根車２６は、流下してきた球２４に衝突して球２４の流下方向を変化させるためのものである。入賞口２８は、球２４の入賞に基づいて所定個数の景品球を払い出すための入賞口である。なお、遊技領域６ｂには、払出し景品球数が入賞口２８の場合と異なる特定入賞口が配置される場合もある。また、球２４の入賞し易さを可変とするために、入賞開口を狭めたり広げたりする電動開閉羽根が設けられた電動入賞口が設けられる場合もある。始動入賞口２９は、入賞口２８の一種ではあるが、球２４の入賞に基づき図柄表示装置２２の図柄回転を開始させる機能を有している。
【００６９】
大入賞口３０は、開閉扉３０ａによって開閉可能な入賞口である。図柄表示装置２２が所定の態様、例えば「７・７・７」等の態様で停止表示した場合に、開閉扉３０ａが開放して多量の球２４が入賞する。そして、それに伴い多量の景品球が払い出されるようになっている。アウト口３１は、いずれの入賞口２８，２９，３０にも入賞せず、遊技領域６ｂの最下端まで流下した球を流入させてパチンコ機２の外部へと排出するためのもので、遊技領域６ｂの略最下端に配置されている。
【００７０】
図柄表示装置２２は、センター飾り２２ａと液晶表示装置（映像表示装置）２２ｂとを有している。センター飾り２２ａは、キャラクター等の造形が施された樹脂成形部品で構成されており、遊技領域６ｂ内における遊技を装飾的に演出するためのものである。液晶表示装置２２ｂは、センター飾り２２ａの中央部分に設けられており、センター飾り２２ａに設けられたキャラクター等によって液晶表示装置２２ｂの画面周囲が装飾的に囲まれた構造となっている。
【００７１】
液晶表示装置２２ｂは、３桁の数字を変動表示する表示図柄２２ｃとアニメキャラクターによるストーリー表示等の演出表示を行う演出映像２２ｄとを表示するためのものである。その表示図柄２２ｃの変動表示は、球２４の動作に基づいて行われる。すなわち、始動入賞口２９への球の入賞、又は遊技領域６ｂに形成された図示しない始動口や始動ゲートへの球の通過等に基づき、表示図柄２２ｃが変動表示されるようになっている。そして、３桁の数字が所定の態様（例えば、当たりに相当する「７・７・７」。）で停止すると、開閉扉３０ａが開放し、多量の球２４が大入賞口３０へと入賞するように構成されている。
【００７２】
図示しない球発射装置により球２４が遊技領域６ｂ内の上部に向けて発射されると、球２４がゲージ２５に衝突してその流下方向を変えつつ遊技領域６ｂ内を流下するようになっている。その流下の途中で、あるものは入賞口２８に入賞して景品球払出しの契機となり、あるものは始動入賞口２９に入賞して図柄表示装置２２による図柄変動遊技開始の契機となり、また、あるものはいずれの入賞口２８等にも入賞せずにアウト口３１からパチンコ機２の外部へと排出される。このように、遊技盤２０上を球２４が流下する際に、様々な遊技が実現されるようになっている。
【００７３】
なお、本実施の形態１においては、アウト口３１の直上に大入賞口３０が形成されているが、大入賞口３０の形成位置はこれに限定されず、遊技領域６ｂ内のいずれの箇所に形成されていてもよい。また、遊技領域６ｂ内に大入賞口３０を形成しなくともよい。
【００７４】
前面ガラス７は、遊技盤２０に対して一定距離以上離間して配置された透明板である。前面ガラス７は透明平板ガラスで形成され、遊技盤２０との間に球２４が流下する流下空間を形成する機能、遊技者が前面ガラス７を通して遊技盤２０を視認できるように視認性を確保する機能、遊技者が遊技盤２０に不正にアクセス（接触）できないように不正アクセスを防止する機能を発揮する。
【００７５】
前面透明板としてはガラス素材の前面ガラス７の他に、透明アクリル等の樹脂材料を使用するものであってもよい。また、本実施の形態１においては、前面ガラス７が装飾枠８に保持されるが、前面ガラス７が遊技盤２０の前面に取り付けられて、遊技盤２０と共に機枠４に保持されるように構成されていてもよい。
【００７６】
装飾枠８は、前面ガラス７又はその周囲を囲む装飾部材３６を保持するための枠体である。本実施の形態１において、装飾枠８は、前面ガラス７及び装飾部材３６の両方を保持している。その装飾枠８は、機枠４の前面側に配置されてヒンジ部１１において機枠４と共に筐体枠３に揺動支持され、機枠４に対して前面開閉可能な構造となっている。
【００７７】
装飾枠８は樹脂又は金属によって形成され、その中央部に遊技者が遊技盤２０を視認するための透視孔が形成されており、その透視孔を覆うように前面ガラス７が取り付けられている。その前面ガラス７の周囲には、パチンコ機２を装飾するための造形・色彩・ランプが付された装飾部材３６が取り付けられ、パチンコ機２の遊技演出に寄与している。
【００７８】
なお、本実施の形態１では、筐体枠３に設けられたヒンジ部１１に機枠４及び装飾枠８の両方が揺動支持される構成となっている。しかしながら、機枠４と装飾枠８とがそれぞれ異なるヒンジ部によって揺動支持されていてもよい。例えば、筐体枠３に機枠４を揺動支持するヒンジ部が設けられ、機枠４に装飾枠８を揺動支持する別のヒンジ部が設けられていてもよい。
【００７９】
図示しない球発射ユニットは、球供給装置によって上皿９から発射位置に送り込まれた球２４を遊技領域６ｂの上部に向けて発射（弾球）するためのものである。遊技者は発射ユニットを構成するハンドル１０を手で操作することによって、球発射装置による弾球強度を調整する。球発射装置は、例えば発射位置に送り出された球２４を遊技領域６ｂに向けて弾球する発射杆、その発射杆を駆動して弾球往復動を行わせる発射モータ、発射杆を付勢して弾球のための力を発生させる発射バネ等を有してユニット構成され、機枠４に取り付けられている。遊技者は、略円筒形状を呈するハンドル１０を手で保持しつつ、円筒周面に沿って強度調整杆１０ａを回転させることにより、球２４の発射強度を調整することが可能となっている。
【００８０】
上皿９は、球２４を球発射装置に導くべく貯留するためのもので、下皿９ａと共に遊技者の持ち球を貯留する機能を有する。上皿９は、パチンコ機２の前面であって遊技盤２０の下方、すなわち装飾枠８の下方部分に配置され、下皿９ａは、その上皿９の更に下方に配置されている。本実施の形態１においては、上皿９と下皿９ａとを別々に構成しているが、もちろん上皿９と下皿９ａとが一体となって１つの球皿が構成されていてもよい。
【００８１】
上皿９は、景品球としてパチンコ機２から払い出された球２４を受け取る機能や、その球２４を球供給装置（図示せず。）を介して球発射装置に導くべく貯留する機能を有している。遊技終了時には、遊技者が球排出ボタン９ｂを操作することにより、球２４を上皿９から下皿９ａへと排出することができるようになっている。
【００８２】
なお、本実施の形態１においては、遊技機としてのパチンコ機２について説明したが、もちろん上述のように、遊技機としてはパチスロ機やスロットマシン、各種ゲーム機やアーケードマシン等が概念できる。ここで、パチスロ機やスロットマシンの場合は、コインが遊技媒体に相当し、回胴体が遊技装置体に相当する。そしてその場合、遊技装置体は筐体枠（第１枠体）内に備えられ、その前面に第２枠体としての前面枠（上記実施の形態１における装飾枠に相当。）が開閉可能に揺動支持されることとなる。
【００８３】
［実施の形態２］
図６（ａ）は、本発明の実施の形態２に係る枠構造５１を有するパチンコ機５２を前方から斜視した斜視図であり、図６（ｂ）はその枠構造５１が備える角度規制構造５６を部分的に拡大した部分拡大図である。また、図７は、図６（ｂ）に示す角度規制構造５６を拡大して上方から見た拡大平面図である。この角度規制構造５６は、パチンコ機（遊技機）５２の筐体枠５３と背面体５５との揺動支持位置（内側揺動支持位置）における上下２箇所の軸のうち下側の軸Ｊ２の近傍に配置されている。なお、図６においては、説明容易のため、装飾枠、前面ガラス、機枠、遊技盤ユニット等、筐体枠５３の前方に配置される構成部品の図示を省略しており、筐体枠５３及び背面板５５のみを斜め前方から斜視している。なお、背面板５５の前面側には、液晶表示装置（映像表示装置）７０が背面板５５から前方に突出して取り付けられている。
【００８４】
角度規制構造５６は、背面板５５に取り付けられた揺動プレート５７と筐体枠５３側に取り付けられた固定プレート５８とを有している。揺動プレート５７には、筐体枠５３側の軸Ｊ２を嵌合する嵌合孔５７ａが形成されており、この嵌合孔５７ａを回転中心軸として揺動プレート５７と背面体５５とが共に回転するように構成されている。
【００８５】
揺動プレート５７には、嵌合孔５７ａから所定距離離れた位置にボール（係合部材）５９が配置されている。ボール５９は、揺動プレート５７の下面からその一部が下方に突出するように配置されている。ボール５９は、上端が固定部材６１（図７においては図示省略）によって固定されたバネ（付勢部材）６０の下端に当接しており、そのバネ６０によって下方に付勢されている。
【００８６】
一方、固定プレート５８には、嵌合孔５７ａに嵌合する軸Ｊ２が上方に向けて突出するように固定されている。そして、軸Ｊ２から所定距離離れた位置であってボール５９の回転半径上の位置に、係合穴（凹部）６２が形成されている。この係合穴６２は、ボール５９を嵌合させるために、略円形のザグリ穴である。係合穴６２は、背面板５５が前方に所定角度（第１所定角度）θだけ開放したときにボール５９が嵌合する位置に形成されている。換言すれば、背面板５５の閉鎖状態において軸Ｊ２中心とボール５９中心とを結ぶ線Ｐ２と、軸Ｊ２中心と係合穴６２中心とを結ぶ線Ｐ１とが所定角度θを為す位置に係合穴６２が形成されている。このボール５９、バネ６０、係合穴６２を有して角度規制構造５６が構成されている。
【００８７】
また、固定プレート５８には、背面板５５が前方に略９０°開放したときにボール５９が嵌合する位置に第２係合孔（凹部）６２ｂも形成されている。第２係合孔６２ｂが形成されていることにより、例えば、機枠を筐体枠５３から取り外した状態で遊技機島内部のメンテナンス等を行う際に、背面板５５を前方に略９０°開放した位置に停止保持することができるようになっている。
【００８８】
不用意に背面板５５が開放方向に移動することにより、背面板５５や筐体枠５３、軸Ｊ２に無理な力が加わって破損を生じてしまったり、不用意に背面板５５が閉鎖方向に移動してしまって、作業員の手が背面板５５と筐体枠５３との間に挟まれてしまったりするのを防止することができる。なお、係合孔６２又は第２係合孔６２ｂのいずれか一方が固定プレート５８に形成されていれば、これらが角度規制構造の一部として機能する。もちろん、両方６２，６２ｂが形成されていれば、背面板５５を２種類の開放角度で停止保持することができるので、より一層安全性や利便性が向上する。
【００８９】
背面板５５を筐体枠５３に対して前方へ開放する際、バネ６０により下方へ付勢されたボール５９は固定プレート５８の上面に当接しつつ摺動しながら回転移動する。筐体枠５３と背面板５５とが為す角が所定角度θとなる位置まで背面体５５を前方に回転させると、ボール５９が係合穴６２に対応する位置に到達する。ボール５９はバネ６０により下方に付勢されているので、係合穴６２に嵌合する（図７中の二点鎖線）。
【００９０】
ボール５９が係合穴６２に嵌合すると、背面板５５はその位置（所定角度θの開放位置）でクリック感をもって停止保持され、それ以上の前方開放が困難な状態となる。したがって、背面板５５や液晶表示装置７０が不用意に機枠に衝突することが防止される。
【００９１】
所定角度θで停止保持されている背面板５５に対して、前方への開放方向に更に強い力を加えると、ボール５９がバネ６０による付勢力に抗して係合穴６２を乗り越える。それにより、背面板５５を所定角度θよりも前方へと開放することが可能となる。
【００９２】
本実施の形態２においては、角度規制構造５６がボール５９と係合穴６２とを有して構成されるボールキャッチ構造であるので、強い力を加えることによりボール５９が係合穴６２を乗り越えることが可能とされている。したがって、筐体枠５３と背面体５５との為す角が所定角度θより大きくなるのを困難とされているが、不可能とされている訳ではない。そのため、必要に応じて背面板５５を前方に大きく開放することができるので、パチンコ機５２背面側におけるメンテナンス性が充分に確保されている。
【００９３】
なお、筐体枠５３と背面板５５との為す角とは、筐体枠５３の幅方向と背面板５５の幅方向とが水平面上で為す角をいう。
【００９４】
ここで、図８にその側方断面図を示すように、本実施の形態２における液晶表示装置７０には、その表示面７１に保護フィルム（透明保護部材）７２が密着貼付されている。この保護フィルム７２は、透明樹脂フィルムであって、裏面側に例えばシリコン等で構成される剥離可能な密着層が形成されている。そして、保護フィルム７２は、複数枚積層構成されている。
【００９５】
万一、機枠又はその構成部品の一部と背面板５５とが不用意に近接してしまっても、機枠等が表示面７１に直接接触しないようになっており、機枠等が接触するのは保護フィルム７２である。したがって、接触によるキズや汚れが保護フィルム７２に発生する場合があるが、最表面側の保護フィルム７２ａを剥離することにより、そのキズや汚れを簡単に除去することができる。再度接触によりキズや汚れが保護フィルム７２に発生しても、次層の保護フィルム７２ｂを剥離することにより、繰り返しキズや汚れを簡単に除去することができる。
【００９６】
なお、各保護フィルム７２は帯電防止機能を有している。すなわち、各保護フィルム７２ａ，７２ｂの表層には、導電性材料を含み、かつ透明性を損なわない程度に薄く形成された帯電防止層が塗布されている。したがって、保護フィルム７２へのホコリ付着が防止され、遊技者は常にきれいな表示面７１による映像を見ることができる。
【００９７】
なお、図９（ａ）にその変形例１に係る角度規制構造５６の側方断面図を模式的に示すように、角度規制構造５６における係合部材を三角柱形状（断面三角形状）の係合突起６３とし、断面三角形状の係合溝６４に嵌合するように構成してもよい。係合突起６３の当接斜面６３ａと係合溝６４の当接斜面６４ａとが当接し、係合突起６３が当接斜面６４ａを乗り上げていくことにより、背面板５５が所定角度θよりも前方開放することができる。
【００９８】
また、図９（ｂ）にその変形例２に係る角度規制構造５６の側方断面図を模式的に示すように、三角柱形状の係合突起６３における前方面６３ｂ及び断面三角形状とされた係合溝６４の前方面６４ｂを斜面でなく上下に延びる立設面とすることにより、いったん係合溝６４に嵌合した係合突起６３が前方には係合溝６４を乗り越えることができないように構成することもできる。
【００９９】
このように構成することにより、背面板５５が所定角度θにおいて停止保持され、それ以上前方に開放することが不可能となるように構成することができる。この場合において、係合突起６３及び係合溝６４の後方面を斜面に構成することにより、背面板５５を後方に回転移動することができる。
【０１００】
［実施の形態３］
図１０は、本発明の実施の形態３に係る枠構造８１を説明する説明図である。図１０は、パチンコ機８２の平面図を模式的に示したものであるが、図１０においては、筐体枠８３を二点鎖線で示し、機枠８４及び背面枠８５のみを実線にて示している。
【０１０１】
この枠構造８１においては、背面板８５の前面側に前方に突出する略棒状のストッパー部材（角度規制構造）８６が設けられ、そのストッパー部材８６が背面板８５における前方に向けてバネ（図示せず）によって付勢されている。バネによる付勢力はかなり強力であるが、図１０（ａ）に示す機枠８４及び背面板８５の閉鎖状態においては、両者との筐体枠８３にロックされているので、ストッパー部材８６をバネ力に抗して短縮させている。
【０１０２】
図１０（ｂ）は、機枠８４及び背面板８５の前方への開放状態を示している。この状態においては、ストッパー部材８６はバネ力によって最大に伸長した状態である。開放状態にある機枠８４と開放状態にある背面板８５とは、ストッパー部材８６が機枠８４の背面側に当接することにより、一定以上には近接することが困難とされている（図１０（ｂ）参照）。
【０１０３】
すなわち、ストッパー部材８６を付勢するバネの付勢力が強力であるので、機枠８４と背面板８５との為す角は、ストッパー部材８６が機枠８４に当接する所定角度（第２所定角度）βより小さくなり難い。したがって、機枠８４の開放角度に拘わらず、機枠８４と背面板８５との相対角度関係は所定角度βより大きくなるように構成され、機枠８４と背面板８５との干渉が確実に防止される。
【０１０４】
なお、所定角度βは、ストッパー部材８６の設置位置及びその前方突出長さによって適宜設定される。また、機枠８４と背面板８５との為す角とは、機枠８４の幅方向と背面板８５の幅方向とが水平面上で為す角をいう。
【０１０５】
バネによる付勢力を強力にすればする程、機枠８４と背面板８５との近接は困難となり、両者の干渉の虞は一層低減するが、その付勢力に抗して機枠８４と背面板８５とを筐体枠８３にロックするのには、大きな力を必要とする。逆に、バネによる付勢力を弱くすればする程、機枠８４と背面板８５とを筐体枠８３にロックするのが小さな力で容易に行えるようになるが、バネの付勢力に抗して機枠８４と背面板８５とが近接することも容易となり、両者の干渉の虞は増大する。
【０１０６】
以上、本発明の好ましい実施の形態を説明したが、本発明はこれらに限定されるものではなく、その要旨の範囲内で様々な変形や変更が可能である。
【図面の簡単な説明】
【０１０７】
【図１】本発明の実施の形態１に係る枠構造を備えたパチンコ機を示した外観斜視図である。
【図２】本発明の実施の形態１に係るパチンコ機において、機枠が筐体枠に対して前方開放した状態を示した外観斜視図である。
【図３】本発明の実施の形態１に係るパチンコ機において、背面板が筐体枠に対して全面開放した状態を示した外観斜視図である。
【図４】本発明の実施の形態１に係るパチンコ機の筐体枠における、機枠の軸Ｇ１の位置と背面板の軸Ｇ２の位置との関係を示した平面拡大図である。
【図５】本発明の実施の形態１に係るパチンコ機において機枠及び背面板が開放した状態を示した平面図である。
【図６】（ａ）は、本発明の実施の形態２に係る枠構造を有するパチンコ機を前方から見た斜視図であり、（ｂ）はその枠構造が備える角度規制構造の部分拡大図である。
【図７】図６に示す角度規制構造を拡大して上方から見た拡大平面図である。
【図８】図６に示す液晶表示装置の側方断面図である。
【図９】（ａ）は、本発明の変形例１に係る角度規制構造の模式的側方断面図であり、（ｂ）は、本発明の変形例２に係る角度規制構造の模式的側方断面図である。
【図１０】本発明の実施の形態３に係る枠構造を説明する説明図である。
【符号の説明】
【０１０８】
Ｇ１，Ｊ１：側縁揺動支持位置の軸
Ｇ２，Ｊ２：内側揺動支持位置の軸
Ｌ１，Ｌ２：距離
Ｐ１，Ｐ２：線
θ：所定角度（第１所定角度）
β：所定角度（第２所定角度）
１，５１，８１：枠構造体（枠構造）
２，５２，８２：パチンコ機（遊技機）
３，５３，８３：筐体枠（第１枠体）
３ａ：開放開口
３ｂ：他側縁内壁
４，８４：機枠（第２枠体）
５，５５，８５：背面板（背面体）
５ａ：反対側縁
６：遊技盤ユニット（遊技装置体）
６ｂ：遊技領域
７：前面ガラス（前面透明板）
８：装飾枠
９：上皿
９ａ：下皿
９ｂ：球排出ボタン
１０：ハンドル
１０ａ：強度調整杆
１１，１２：ヒンジ部
１２ａ：ヒンジ支持部
１５：画像制御基板
１６：主基板（遊技制御基板）
１７：電源基板
１８，１８ａ：位置
２０：遊技盤
２０ａ：遊技盤面
２１：レール飾り
２１ａ：内側面
２２：図柄表示装置
２２ａ：センター飾り
２２ｂ，７０：液晶表示装置（映像表示装置）
２２ｃ：表示図柄
２２ｄ：演出映像
２４：球（遊技媒体）
２５：ゲージ（釘）
２６：羽根車
２８：入賞口
２９：始動入賞口
３０：大入賞口
３０ａ：開閉扉
３１：アウト口
３６：装飾部材
５６：角度規制構造
５７：揺動プレート
５７ａ：嵌合孔
５８：固定プレート
５９：ボール（係合部材、角度規制構造の一部）
６０：バネ（付勢部材、角度規制構造の一部）
６１：固定部材
６２：係合穴（凹部、角度規制構造の一部）
６２ｂ：第２係合孔（凹部）
６３：係合突起（係合部材、角度規制構造の一部）
６３ａ：当接斜面
６３ｂ：前方面
６４：係合溝
６４ａ当接斜面
６４ｂ：前方面
７１：表示面
７２，７２ａ，７２ｂ：保護フィルム（透明保護部材）
８６：ストッパー部材（角度規制構造）
【図１】
2010082250.tif 000003
【図２】
2010082250.tif 000004
【図３】
2010082250.tif 000005
【図４】
2010082250.tif 000006
【図５】
2010082250.tif 000007
【図６】
2010082250.tif 000008
【図７】
2010082250.tif 000009
【図８】
2010082250.tif 000010
【図９】
2010082250.tif 000011
【図１０】
2010082250.tif 000012